【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
所定の遊技を行なう遊技機であって、
開閉可能に設けられた開閉体が開放状態であるときに操作可能となる管理用操作手段と、
前記管理用操作手段への操作に応じて管理状態に制御し、該管理状態とは異なる状態において遊技の進行を制御する遊技制御手段と、
前記管理状態において演出手段の消費電力が所定の値である通常モードまたは当該通常モードよりも前記演出手段の消費電力が小さい節電モードを設定する設定手段と、
該設定手段が設定したモードに応じた消費電力で前記演出手段を制御する演出制御手段と、
前記設定手段により前記節電モードが設定されていることを報知する報知手段と、を備え、
前記報知手段は、前記管理状態において前記設定手段が前記節電モードを設定したときに報知する第１報知手段と、前記節電モードに応じて前記演出手段が制御されているときに報知する第２報知手段と、を含む遊技機。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
この発明は、省エネモードに制御することが可能な遊技機において、制御されているモードを報知することができる遊技機を提供することである。
【手続補正４】
【補正対象書類名】明細書
【補正対象項目名】０００６
【補正方法】変更
【補正の内容】
【０００６】
上記課題を解決するために、本発明の請求項１に記載の遊技機は、
所定の遊技を行なう遊技機（第１実施の形態におけるスロットマシン１、第２実施の形態におけるパチンコ遊技機７００）であって、
開閉可能に設けられた開閉体（前面扉１ｂ、遊技枠）が開放状態であるときに操作可能となる管理用操作手段（第１実施の形態における電源スイッチ３９、設定キースイッチ３７、第２実施の形態における電源スイッチ）と、
前記管理用操作手段への操作に応じて管理状態（第１実施の形態における設定変更モードあるいは設定確認モードに移行されている状態、第２実施の形態における起動処理が行なわれている状態）に制御し、該管理状態とは異なる状態において遊技の進行を制御する遊技制御手段（第１実施の形態におけるメイン制御部４１、第２実施の形態における遊技制御用マイクロコンピュータ７５６０）と、
前記管理状態において演出手段（たとえば、スロットマシン１におけるスピーカ５３、５４、枠ナビＬＥＤ７１Ｌ、７１Ｃ、７１Ｒ、センターナビＬＥＤ７２Ｌ、７２Ｃ、７２Ｒ、液晶表示器５１、パチンコ遊技機７００におけるスピーカ７２７Ｌ、７２７Ｒ、右打ちナビＬＥＤ７４０ａ、７４０ｂ、７４０ｃ、７４０ｄ、７４０ｅ、演出表示装置７０９）の消費電力が所定の値である通常モード（通常モード）または当該通常モードよりも前記演出手段の消費電力が小さい節電モード（省エネモード）を設定する設定手段（図６の設定変更関連処理）、と、
該設定手段が設定したモードに応じた消費電力で前記演出手段を制御する演出制御手段（たとえば、スロットマシン１におけるサブ制御部９１、パチンコ遊技機７００における演出制御基板７８０）と、
前記設定手段により前記節電モードが設定されていることを報知する報知手段と、を備え、
前記報知手段は、前記管理状態において前記設定手段が前記節電モードを設定したときに報知する第１報知手段（図６のＳ２６）と、前記節電モードに応じて前記演出手段が制御されているときに報知する第２報知手段（図２５の「小節電モード中（省エネ１０％）」の文字画像、図２６の「中節電モード中（省エネ３０％）」の文字画像、図２７の「大節電モード中（省エネ５０％）」の文字画像、）と、を含む
（１）  所定の遊技を行なう遊技機（第１実施の形態におけるスロットマシン１、第２実施の形態におけるパチンコ遊技機７００）であって、
開閉可能に設けられた開閉体（前面扉１ｂ、遊技枠）が開放状態であるときに操作可能となる管理用操作手段（第１実施の形態における電源スイッチ３９、設定キースイッチ３７、第２実施の形態における電源スイッチ）と、
前記管理用操作手段への操作に応じて管理状態（第１実施の形態における設定変更モードあるいは設定確認モードに移行されている状態、第２実施の形態における起動処理が行なわれている状態）に制御し、該管理状態とは異なる状態において遊技の進行を制御するとともに、制御情報（コマンド）を出力する遊技制御手段（第１実施の形態におけるメイン制御部４１、第２実施の形態における遊技制御用マイクロコンピュータ７５６０）と、
前記遊技制御手段からの制御情報に基づいて、演出手段（たとえば、スロットマシン１におけるスピーカ５３、５４、枠ナビＬＥＤ７１Ｌ、７１Ｃ、７１Ｒ、センターナビＬＥＤ７２Ｌ、７２Ｃ、７２Ｒ、液晶表示器５１、パチンコ遊技機７００におけるスピーカ７２７Ｌ、７２７Ｒ、右打ちナビＬＥＤ７４０ａ、７４０ｂ、７４０ｃ、７４０ｄ、７４０ｅ、演出表示装置７０９）の消費電力が所定の値である第１のモード（通常モード）または当該第１のモードよりも前記演出手段の消費電力が小さい第２のモード（省エネモード）を設定するとともに、該設定したモードに応じた消費電力で前記演出手段を制御する演出制御手段（たとえば、スロットマシン１におけるサブ制御部９１、パチンコ遊技機７００における演出制御基板７８０）とを備え、
前記遊技制御手段は、前記管理状態に制御されることにより出力する管理制御情報（第１実施の形態における遊技状態コマンド、第２実施の形態における起動時コマンド）とともに、当該管理状態の終了時（第１実施の形態における設定変更モードあるいは設定確認モードが終了するとき、第２実施の形態における起動処理が終了するとき）における所定条件の成立状況（第１実施の形態におけるＭＡＸＢＥＴスイッチ６および清算スイッチ１０の操作状況、第２実施の形態におけるクリアスイッチの操作状況）に応じた状況制御情報（第１実施の形態におけるＢＥＴコマンドおよび清算コマンド、第２実施の形態におけるクリアコマンド）を出力し（図５参照）、
前記演出制御手段は、前記管理制御情報とともに受信した前記状況制御情報に予め対応付けられているモードを設定する（設定変更関連処理、図６参照、起動関連処理）。
【手続補正５】
【補正対象書類名】明細書
【補正対象項目名】００５１
【補正方法】変更
【補正の内容】
【００５１】
このような構成によれば、第２のモードに応じた消費電力で演出手段が制御されて操作手順が報知された場合には、有利遊技状態であることを遊技者に把握させることができ、遊技者が遊技を止める可能性が低くなる。そのため、節電によって演出手段の消費電力を抑えても遊技機の稼働率が低下しにくくなる。
【手続補正６】
【補正対象書類名】明細書
【補正対象項目名】０４０５
【補正方法】変更
【補正の内容】
【０４０５】
サブ制御部９１は、ＳＡ３４において、入賞しなかった入賞役は、ナビをしたゲームに対応する入賞役ではないと判定したときには、電力設定変更処理を終了する。一方、サブ制御部９１は、ＳＡ３４において、入賞しなかった入賞役は、ナビをしたゲームに対応する入賞役であると判定したときには、ＳＡ３６において、省エネ度合いを１段階低くするように電力設定を変更して電力設定フラグをＲＡＭ９１ｃの所定領域にセットする。つまり、現在の節電モードが大節電モードに設定されていれば、中節電モードに設定変更する。また、現在の節電モードが中節電モードに設定されていれば、小節電モードに設定変更する。また、現在の節電モードが小節電モードに設定されていれば、大節電モードに設定変更する。その後、サブ制御部９１は、電力設定変更処理を終了する。
【手続補正７】
【補正対象書類名】明細書
【補正対象項目名】０４３３
【補正方法】変更
【補正の内容】
【０４３３】
このように、通常遊技状態よりも遊技者にとって有利なＡＴ制御状態であることを条件に、ＲＡＭ９１ｃの所定領域にセットされた電力設定に基づき演出手段を制御する。これにより、ＡＴ制御状態は演出手段による演出のための消費電力が大きくなりがちであるため、節電がより有効になる。また、ＡＴ制御状態は遊技者にとって有利であるため遊技者が遊技を止める可能性が低くなる。そのため、省エネモードを設定することによる節電によって演出手段の消費電力を抑えてもスロットマシン１の稼働率が低下しにくくなる。
【手続補正８】
【補正対象書類名】明細書
【補正対象項目名】０５６６
【補正方法】変更
【補正の内容】
【０５６６】
これにより、時短制御中は演出手段による演出のための消費電力が大きくなりがちであるため、節電がより有効になる。また、時短制御中は遊技者にとって有利であるため遊技者が遊技を止める可能性が低くなる。そのため、省エネモードを設定することによる節電によって演出手段の消費電力を抑えてもパチンコ遊技機７００の稼働率が低下しにくくなる。
【手続補正９】
【補正対象書類名】明細書
【補正対象項目名】０５９４
【補正方法】変更
【補正の内容】
【０５９４】
なお、管理状態を開始するときや終了するとき以外にも、モード設定するか否かに関わらず、管理状態中において特定操作が行なわれる場合や特定報知が行なわれる場合など、遊技場の管理者がモード設定を行なう場合に操作すべき特定タイミング（設定操作タイミング）であることを特定可能な管理状態に制御される場合には、当該特定タイミングにおける操作状況（所定条件の成立状況）に応じた状況制御情報を設定して、管理制御情報とともに出力するようにしてもよく、このように構成した場合においても前述した実施の形態において奏される効果と同様の効果を奏する。